(57)【要約】【課題】強度を維持しつつ軽量化を実現した遊技キャビネットを提供する。【解決手段】上部キャビネット７０１を木製合板で形成し、下部キャビネット７０２を金属板で形成する。両キャビネットは、上部キャビネット７０１に設けられた手前側溝部７０５及び奥側穴部７０６に、下部キャビネット７０２に設けられた手前側連結金具７０３及び奥側連結金具７０４を係合させ、奥側にスライドさせることで一体化する。【選択図】図４
2011177404.tif 000002
【特許請求の範囲】
【請求項１】
複数種類の絵柄を施した複数のリールを備え、ゲーム開始の操作により前記リールを回転させると共に、制御部の内部抽選により予め定められた複数の入賞役の内いずれかに当選したか否かを判定し、該判定に基づく前記リールの停止態様が特定の停止態様となった場合に、前記入賞役に対応する所定の数の遊技媒体を払い出す遊技機であって、
遊技装置を収容する収容枠を備え、
該収容枠は、
上部収容枠と、下部収容枠と、前記上部収容枠および下部収容枠を互いに分離可能な連結機構と、
を備え、
前記上部収容枠は、上部天板と、該上部天板の両端に設けられた上部側板と、該上部側板の後方部を閉鎖するように配設した上部背板と、
で少なくとも構成され、
前記下部収容枠は、
下部天板と、該下部天板の両端に設けられた下部側板と、該下部側板の後方部を閉鎖するように配設した下部背板と、
で少なくとも構成されると共に、
前記上部収容枠は木製部材又は樹脂部材で形成され、前記下部収容枠は金属製部材で形成されることを特徴とする遊技台。
【請求項２】
前記遊技装置は、前記各リールと前記各リールを回転させるモータで構成されるリールユニットを含み、
前記リールユニットは、前記上部収容枠に囲まれる領域に配設されることを特徴とする請求項１記載の遊技台。
【請求項３】
前記連結機構は、所定方向の移動のみ許す仮連結機構と、前記仮連結機構の所定方向の移動を許さない本連結機構と、
を備えることを特徴とする請求項１又は請求項２記載の遊技機。
【請求項４】
前記上部収容枠は、下方向開口部を閉鎖するように配設した上部底板を有し、
前記下部収容枠は、上方向開口部を閉鎖するように配設した下部天板を有し、
前記仮連結機構は、
前記上部底板の所定の箇所に、前記上部収容枠の開口方向に向けて所定の長さで配設された摺動部と、前記下部天板の所定の箇所に、略コの字状の前記摺動部を受ける被摺動部と、
を備えることを特徴とする請求項１乃至請求項３いずれか１項記載の遊技機。
【発明の詳細な説明】
【技術分野】
【０００１】
本発明は、スロットマシン、パチンコ機等に代表される遊技台に関する。
【背景技術】
【０００２】
従来、スロットマシンなどの遊技台は、内部にリールユニットや制御装置、メダルの払出装置などを収納した筐体部に、ストップボタンやスタートレバーなどの操作手段、ランプやスピーカなどの演出装置を備えた前面扉をヒンジ部を介して蝶着している。一般的に筐体部は、木製合板を箱型に形成して構成されるが、加工がしやすい反面、劣化、破損等も生じやすく、特に筐体下部は、入れ替えや輸送等での損傷が激しかった。そこで、筐体部を金属で形成した板金製筐体が提案されている（例えば、特許文献１参照）。
【先行技術文献】
【特許文献】
【０００３】
【特許文献１】特開２００４−３４４６６９号公報
【発明の概要】
【発明が解決しようとする課題】
【０００４】
しかし、上記文献の発明は、強度的に不必要な部分まで金属が使用されているので重量が大きくなり、更には、湿度の高い環境下で使用した場合、筐体内部に湿気が溜まりやすく、リール部等筐体内部に結露が生じてしまう問題があった。
【０００５】
本発明は、以上の問題に鑑み、筐体の強度を維持しつつも軽量化を図り、また結露も発生しづらい遊技台を提供することにある。
【課題を解決するための手段】
【０００６】
上記目的を達成するため、本発明に係る遊技台は、複数種類の絵柄を施した複数のリールを備え、ゲーム開始の操作により前記リールを回転させると共に、制御部の内部抽選により予め定められた複数の入賞役の内いずれかに当選したか否かを判定し、該判定に基づく前記リールの停止態様が特定の停止態様となった場合に、前記入賞役に対応する所定の数の遊技媒体を払い出す遊技機であって、遊技装置を収容する収容枠を備え、前記収容枠は、上部収容枠と、下部収容枠と、前記上部収容枠および下部収容枠を互いに分離可能な連結機構と、を備え、前記上部収容枠は、上部天板と、該上部天板の両端に設けられた上部側板と、該上部側板の後方部を閉鎖するように配設した上部背板と、で少なくとも構成され、前記下部収容枠は、下部天板と、該下部天板の両端に設けられた下部側板と、該下部側板の後方部を閉鎖するように配設した下部背板と、で少なくとも構成されると共に、前記上部収容枠は木製部材又は樹脂部材で形成され、前記下部収容枠は金属製部材で形成されることを特徴とする。
【発明の効果】
【０００７】
以上のように、本発明では、筐体の強度を保ちつつも軽量化が実現でき、また結露が発生しづらい遊技台を実現できる。
【図面の簡単な説明】
【０００８】
【図１】スロットマシンの外観を示す斜視図である。
【図２】スロットマシンの内観図である。
【図３】スロットマシンの制御ブロック図である。
【図４】（ａ）上部キャビネット及び下部キャビネットの斜視図である。（ｂ）上部キャビネット及び下部キャビネットの組付図である。
【図５】（ａ）手前側における上部キャビネット及び下部キャビネットの組付図である（係合前）。（ｂ）手前側における上部キャビネット及び下部キャビネットの組付図である（係合後）。（ｃ）手前側における上部キャビネット及び下部キャビネットの断面図である。（ｄ）奥側における上部キャビネット及び下部キャビネットの組付図である（係合前）。（ｅ）奥側における上部キャビネット及び下部キャビネットの組付図である（係合後）。（ｆ）奥側における上部キャビネット及び下部キャビネットの断面図である。
【図６】連結フレームによる上部キャビネット及び下部キャビネットの組付図である。
【図７】ヒンジベース部による上部キャビネット及び下部キャビネットの組付図である。
【図８】施錠ベース部による上部キャビネット及び下部キャビネットの組付図である。
【図９】上部キャビネット及び下部キャビネットに収納する部品の例を示す図である。
【図１０】本体内に発生する結露の一例を示す図である。
【発明を実施するための形態】
【０００９】
以下、本発明の好適な実施の形態について添付図面を用いて詳細に説明する。図１は、一般的なスロットマシン１００の斜視図である。
【００１０】
図１に示すスロットマシン１００は、筐体１０１と、筐体１０１の正面に取付けられ、筐体１０１に対して開閉可能な前面扉１０２と、を備える。筐体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして有効として設定してもよく、ベット数に関係なく、一律に同一数の入賞ラインを有効な入賞ラインとして設定してもよい。
【００１４】
告知ランプ１２３は、例えば、内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント表示器とした。
【００１７】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１８】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１９】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１６２が設けられている。タイトルパネル１６２の下部には、メダル払出口１５５、メダル受け皿１６１が設けられている。
【００２１】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２２】
図２は、前面扉を開けた状態のスロットマシン１００を示す正面図である。筐体１０１は、上部天板２６１、左側の側面板２６０、右側の側面板２６０、下部底板２６４および背面板２４２で囲われ、前面に開口する箱体である。筐体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。主制御基板収納ケース２１０及びリール１１０乃至１１２の側方、即ち向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００２３】
そして、下部底板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して後述する主制御部３００、第１副制御部４００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２４】
メダル払出装置１８０の右側には、メダル補助収納庫２４０が配設してあり、この背後にはオーバーフロー端子が配設されている（図示省略）。電源装置２５２には、電源コード２６５を接続する電源コード接続部が設けられ、ここに接続された電源コード２６５が、筐体１０１の背面板２４２に開設した電源コード用穴２６２を通して外部に延出している。
【００２５】
前面扉１０２は、筐体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１４３に対応する位置には低音スピーカ２７７を設けている。また図柄表示窓の下方には、各種演出装置への配線を中継する中継端子板２７９が設けられている。
【００２６】
次に図３を用いて、スロットマシン１００の制御部の制御部の回路構成について詳細に説明する。なお、同図は制御部の回路ブロック図を示したものである。
【００２７】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２８】
＜主制御部＞
まず、スロットマシン１００の主制御部３００について説明する。
【００２９】
主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００３０】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３９を設けており、ＣＰＵ３０４は、この起動信号出力回路３３９から起動信号を入力した場合に、遊技制御を開始する（後述する主制御部メイン処理を開始する）。
【００３１】
また、電圧を監視する電圧監視回路３３０と、ＷＤＴ３１３（ウォッチドッグタイマー）が設けられている。
【００３２】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。なお、上述したリセット検知用センサ２８４及び扉開放用検知センサ２８５もこのセンサ回路３２０で監視される。
【００３３】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３４】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３５】
ベットボタン１３０センサ、ベットボタン１３１センサ、および、ベットボタン１３２センサは、ベットボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３６】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３７】
主制御部３００は、リール１１０乃至１１２に設けたステッピングモータを駆動する駆動回路３２２を設けており、投入されたメダルを選別するメダルセレクタ１７０に設けたソレノイドを駆動する駆動回路３２４を設けており、メダル払出装置１８０に設けたモータを駆動する駆動回路３２６を設けており、各種ランプ３３８（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００３８】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００３９】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００４０】
＜副制御部＞
次に、スロットマシン１００の第１副制御部４００について説明する。
【００４１】
第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【００４２】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４３】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４４】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。
【００４５】
また、ＣＰＵ４０４は、出力インタフェースを介して第２副制御部５００へ信号の送受信を行う。スロットマシン１００の第２副制御部５００では、演出画像表示装置１５７や各種演出用駆動装置１６５の制御を行う。第２副制御部５００は、例えば、演出画像表示装置１５７の制御を行う制御部、各種演出用駆動装置１６５の制御を行う制御部とするなど、複数の制御部で構成するようにしてもよい。第２副制御部は、演出画像表示装置１５７の表示制御を行ったり、演出用の駆動装置１６５を制御したりする。
【００４６】
次に、図４を用いて、本実施形態における筐体１０１の構成を説明する。
【００４７】
図４（ａ）は、筐体１０１の斜視図である。本実施形態では、筐体１０１を、上部キャビネット７０１と下部キャビネット７０２で構成している。上部キャビネット７０１は、主に木製合板で形成されているので比較的軽量であり、木材であるので吸湿機能をも備えている。下部キャビネット７０２は金属板で形成しており、輸送時に乱暴に床に置かれたりしても破損が生じることがない。図４（ｂ）に示すように、上部キャビネット７０１は、上部天板７３０と、左右に上部側板７３１と、上部背板７３２と、上部底板７０９によって箱形状に形成され、また下部キャビネット７０２は、下部天板７１０と、左右に下部側板７４１と、下部背板７４２と、下部底板７４０によって箱形状に形成されている。両キャビネットは、上部キャビネット７０１の下部底板７０９と、下部キャビネット７０２の上部天板７１０が接する状態で一体化される。組み付け方法としては、上部キャビネット７０１を下部キャビネット７０２より若干手前側（遊技者側）に引いた（ずらした）状態で重ね合わせると、下部キャビネット７０２手前側に２箇所設けられた手前側連結金具７０３が、上部キャビネット７０１手前側に２箇所設けられた手前側溝部７０５内に入り、また、下部キャビネット７０２奥側に２箇所設けられた奥側連結金具７０４が、上部キャビネット７０１奥側に２箇所設けられた奥側穴部７０６内に入った状態となる。そしてこの状態から上部キャビネット７０１を奥側にスライドさせると、手前側連結金具７０３と手前側溝部７０５、及び奥側金具７０４と奥側穴部７０６が組みつけられた状態となり、取手部７１３に手を差し込んで上方向に持ち上げたとしても、両キャビネットは分離せず、一体化された状態を保つ。
【００４８】
次に、上部キャビネット７０１及び下部キャビネット７０２の組み付け部分の詳細を、図５を用いて説明する。
【００４９】
図５（ａ）は、上述した、上部キャビネット７０１を下部キャビネット７０２より若干手前側に引いた状態で重ね合わせた状態を示す図である。つまり、上部キャビネット７０１の手前側端面Ａと、下部キャビネット７０２の手前側端面Ｂがズレた状態である。この状態では、手前側溝部７０５に設けられた手前側カギ部７１４と、手前側連結金具７０４に設けられた係合凹部７０７が干渉せず、上部底板７０９と下部天板７１０が接した状態で保たれる。この状態から、上部キャビネット７０１を奥側にスライドさせると、図５（ｂ）に示すように、手前側溝部７０５のカギ部７１４が、手前側連結金具７０４の係合凹部７０７と係合した状態となり、上部キャビネット７０１の手前側端面Ａと、下部キャビネット７０２の手前側端面Ｂが面一となる。そして、この状態を断面でみると、図５（ｃ）に示すように、上部キャビネット７０１に設けられた手前側溝部７０５、及び下部キャビネット７０２に設けられた手前側連結金具７０７のコの字部分が互いに組み合わさった状態となっている。そして後述する連結フレーム７１５によって、上部底板７０９と下部天板７１０が固定される。
【００５０】
同様に、筐体１０１の奥側では、図５（ｄ）に示すように、図５（ａ）における上部キャビネット７０１の手前側端面Ａと、下部キャビネット７０２の手前側端面Ｂがズレた状態では、奥側連結金具７０４と、奥側穴部７０６に設けられた係合凸部７０８が互いに干渉しない位置Ｃ側にある。この状態から上部キャビネット７０１を奥側にスライドさせると、図５（ｅ）に示すように、奥側連結金具７０４と、奥側穴部７０６の係合凸部７０８（図示せず）と係合し、位置Ｄ側に移動した状態となる。そして、この状態を断面でみると、図５（ｆ）に示すように、上部底板７０９に設けられた奥側カギ部７０８と、下部天板７１０に設けられた奥側連結金具７０４が、互いに組み合わさった状態となる。
【００５１】
そしてまだこの状態では、両キャビネットが互いに前後方向に動くと、連結部分が外れて分離してしまうので、図６に示すように、リール収納ケース７１３と共に、コの字形状に形成された連結フレーム７１５でもって上部底板７０９及び下部天板７１０を挟み込み、ネジ７１４にて固定する。さらには、図７に示すように、筐体１０１の左側面には、図２に示すヒンジ装置２７６のヒンジベース部７１１をネジなどで固着し、また図８に示すように、筐体１０１右側面には、図２に示す施錠装置２８０の施錠ベース部７１２をネジなどで固着すると、上部キャビネット７０１と下部キャビネット７０２は前後（手前と奥）方向に動かなくなるので、筐体１０１が前後左右に移動したとしても両キャビネットが分離することはない。
【００５２】
そして図９に示すように、各遊技台に共通して使用できる払出装置１８０や電源装置２５２は、下部キャビネット７０２内に収納し、機種毎にその内容が異なる主制御基板収納ケース２１０やリールユニット９００は上部キャビネット７０１内に収納して、それぞれのキャビネットを組み付けることで、下部キャビネット７０２はリサイクル使用し、上部キャビネット７０１のみ交換するようにすれば、コストダウンや遊技台の入れ替え作業の軽減化が可能となる。
【００５３】
また、図１０に示すように、従来の金属製キャビネットでは、筐体１０１内に溜まった湿気などが、リール１１０乃至１１２等に結露７１５として付着してしまう問題があったが、上部キャビネット７０１を木製キャビネットとしたので、木材が筐体１０１内部の湿気を吸収することで、筐体１０１内部に結露７１５が発生することがない。
【００５４】
以上のように、本発明に係る遊技台は、複数種類の絵柄を施した複数のリールを備え、ゲーム開始の操作により前記リールを回転させると共に、制御部の内部抽選により予め定められた複数の入賞役の内いずれかに当選したか否かを判定し、該判定に基づく前記リールの停止態様が特定の停止態様となった場合に、前記入賞役に対応する所定の数の遊技媒体を払い出す遊技機であって、遊技装置を収容する収容枠を備え、該収容枠は、上部収容枠と、下部収容枠と、前記上部収容枠および下部収容枠を互いに分離可能な連結機構と、を備え、前記上部収容枠は、上部天板と、該上部天板の両端に設けられた上部側板と、該上部側板の後方部を閉鎖するように配設した上部背板と、で少なくとも構成され、前記下部収容枠は、下部天板と、該下部天板の両端に設けられた下部側板と、該下部側板の後方部を閉鎖するように配設した下部背板と、で少なくとも構成されると共に、前記上部収容枠は木製部材又は樹脂部材で形成され、前記下部収容枠は金属製部材で形成されることを特徴とする。
【００５５】
上述した実施形態では、主に木製合板で形成された箱型の上部キャビネット７０１と、金属板で構成された箱型の下部キャビネット７０２を、所定方向にスライドさせることで一体化する連結金具や、金具をはめ込む溝部や穴部をそれぞれのキャビネットに設けることで両キャビネットを固定し、更には、既存のヒンジ装置２７６や施錠装置２８０による固定をも利用して、強固な固着を実現した。またそれぞれのキャビネットは、異なる材料で形成され、上部キャビネット７０１は主に木材で、また下部キャビネット７０２は金属板でもって構成した。
【００５６】
よって、木材が持つ軽量、吸湿効果といった機能と、金属がもつ堅牢性を同時に実現することが可能な筐体を提供できる。
【００５７】
ここで、木製部材または樹脂部材とは、主だった部分を木材で構成して、軽量化や吸湿効果を実現できればよいので、一部に樹脂部材やガラス部材、ゴム部材など他の部材を使用したキャビネットも本発明に含まれる。同様に金属製部材も、堅牢性を維持できれば、他の部材が一部に利用されていても本発明の範囲に含まれることはいうまでもない。
【００５８】
また、本発明の別の態様では、更に、前記遊技装置は、前記各リールと前記各リールを回転させるモータで構成されるリールユニットを含み、前記リールユニットは、前記上部収容枠に囲まれる領域に配設されることを特徴とした。
【００５９】
上述した実施形態では、各遊技台に共通して使用できる払出装置１８０や電源装置２５２は、下部キャビネット７０２内に収納し、機種毎にその内容が異なる主制御基板収納ケース２１０やリールユニット９００は上部キャビネット７０１内に収納するように構成した。
【００６０】
よって、新機種開発は上部キャビネット７０１に収納される遊技装置に関する部分のみ行えば、下部キャビネット７０２に収納される遊技装置はそのまま流用可能であるので、開発コストの削減や、効率的なリサイクルが可能となる。
【００６１】
また、本発明の別の態様では、更に、前記連結機構は、所定方向の移動のみ許す仮連結機構と、前記仮連結機構の所定方向の移動を許さない本連結機構と、を備えることを特徴とした。
【００６２】
上述した実施形態では、手前側連結金具７０３と手前側溝部７０５、及び奥側連結金具７０４と奥側孔部７０６によって仮に固定された後、連結フレーム７１５やヒンジベース部７１１、施錠ベース部７１２などによって、外部から力が加わっても分離することなく固定される。
【００６３】
よって、両キャビネットを固着する際に、既存の遊技部品をも利用して強固な固着を実現しているので、部品点数の少ない効率のよい固定が実現できる。
【００６４】
また、本発明の別の態様では、更に、前記上部収容枠は、下方向開口部を閉鎖するように配設した上部底板を有し、前記下部収容枠は、上方向開口部を閉鎖するように配設した下部天板を有し、前記連結機構は、前記上部底板の所定の箇所に、前記上部収容枠の開口方向に向けて所定の長さで配設された摺動部と、前記下部天板の所定の箇所に、略コの字状の前記摺動部を受ける被摺動部とを備えることを特徴とした。
【００６５】
上述した実施形態では、上部キャビネット７０１に設けられた手前側溝部７０５と、下部キャビネット７０２に設けられたコの字計上の手前側連結金具７０３を設け、キャビネット手前側から奥側に向けて摺動して組み付けられる構成とした。
【００６６】
よって、下部キャビネット７０２上に上部キャビネット７０１を乗せ、奥側にスライドさせるだけで、両キャビネットが連結されるので、簡便に組み付け作業を行うことができる。
【００６７】
以上、本発明の実施例を説明したが、具体例を例示したに過ぎず、特に本発明を限定するものではない。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【産業上の利用可能性】
【００６８】
本発明は、スロットマシン、パチンコ機等に代表される遊技台に適用することが可能である。
【符号の説明】
【００６９】
１００・・・スロットマシン
１０１・・・本体
７０１・・・上部キャビネット
７０２・・・下部キャビネット
７０３・・・手前側連結金具
７０４・・・奥側連結金具
７０５・・・手前側溝部
７０６・・・奥側穴部
【図１】
2011177404.tif 000003
【図２】
2011177404.tif 000004
【図３】
2011177404.tif 000005
【図４】
2011177404.tif 000006
【図５】
2011177404.tif 000007
【図６】
2011177404.tif 000008
【図７】
2011177404.tif 000009
【図８】
2011177404.tif 000010
【図９】
2011177404.tif 000011
【図１０】
2011177404.tif 000012